(57)【要約】      （修正有）【課題】信頼性があり強固であるバンド留め具、最小の容積を有するバンド留め具のための係止解決法、留め金の外観の審美的なバンド留め金係止解決法を提供する。【解決手段】ブレード軸５１周りに互いに対して可動性連結された少なくとも２つの可動ブレード４、５を含み、さらに第１ブレード５を第２ブレード４に対して、それぞれ留め金の閉構成及び開構成にロックまたはアンロックすることを可能とする係止装置を含み、係止装置は第１ブレード５に連結され、ユーザによる係止装置の作動を意図される作動レバー２と、第２ブレード４の相補的フック要素４ａと協働することが可能な係止要素１とを含み、係止装置は、一方では第１連結装置によって係止要素１に連結され、他方では第２連結装置によって作動レバー２に連結される中間要素３を含み、２つの連結装置のうち少なくとも１つの連結装置は少なくとも２つの自由度を有する、バンド用の留め金。【選択図】図４
2022002691.tif 000002
【特許請求の範囲】
【請求項１】
バンド用の留め金であって、ブレード軸（５１）周りに互いに対して可動性連結された少なくとも２つの可動ブレード（４）、（５）を含み、さらに第１ブレード（５）を第２ブレード（４）に対して、それぞれ前記留め金の閉構成及び開構成にロックまたはアンロックすることを可能とする係止装置（１０）を含み、前記係止装置（１０）は、前記第１ブレード（５）に連結され、ユーザによる前記係止装置の作動を意図される作動レバー（２）と、前記第２ブレード（４）の相補的フック要素（４ａ）と協働することが可能な係止要素（１）とを含み、前記係止装置（１０）は、一方では第１連結装置によって前記係止要素（１）に連結され、他方では第２連結装置によって前記作動レバー（２）に連結される、中間要素（３）を含み、前記２つの連結装置のうち少なくとも１つの連結装置は少なくとも２つの自由度を有する、バンド用の留め金。
【請求項２】
前記係止装置の前記２つの連結装置のうち少なくとも１つの連結装置は、第２中間軸（３２）周りを回転する第１自由度と、前記第２中間軸（３２）の溝（２２）内の並進移動による第２自由度とを与える、請求項１に記載のバンド用の留め金。
【請求項３】
前記係止装置の前記作動レバー（２）と前記中間要素（３）とは、溝（２２）を含む前記第２連結装置により連結され、前記溝（２２）は前記作動レバー（２）または前記中間要素（３）に配置され、前記溝の中で前記作動レバー（２）と前記中間要素（３）とを連結する前記第２中間軸（３２）が移動され、前記第２中間軸周りに前記作動レバー（２）と前記中間要素（３）が旋回可能であり、それにより前記作動レバー（２）と前記中間要素（３）との間の２つの自由度が許可される、請求項２に記載のバンド用の留め金。
【請求項４】
前記係止装置の前記２つの連結装置のうちの１つの連結装置は、第１中間軸（３１）周りの回転の１つの自由度を与える、請求項１から３のいずれか一項に記載のバンド用の留め金。
【請求項５】
前記係止要素（１）は第１軸（１１）周りに回転可能に取り付けられ、前記作動レバー（２）は第２軸（２１）周りに回転可能に取り付けられる、請求項１から４のいずれか一項に記載のバンド用の留め金。
【請求項６】
前記バンド留め金をロックするよう前記相補的フック要素（４ａ）と噛み合うことが可能な位置に前記係止要素（１）が向かうよう前記係止要素（１）に働きかけるように配置された１つ以上の戻しばね（８ａ、８ｂ）を含む、請求項１から５のいずれか一項に記載のバンド用の留め金。
【請求項７】
前記第１ブレード（５）上のカバー軸（６１）周りに回転するよう配置されたカバー（６）であって、逆Ｕ字型断面を有し、その上面はユーザから可視状態であり、その２つの平行な側壁は前記留め金の前記係止装置（１０）を覆うまたは実質的に覆うカバー（６）を含み、前記係止装置（１０）の前記係止要素（１）は、前記第１ブレ―ド（５）または前記カバー（６）の第１長手端に位置された第１軸（１１）周りを前記第１ブレード（５）または前記カバー（６）に対して回転可能に取り付けられ、前記係止装置の前記作動レバー（２）は、前記第１ブレード（５）または前記カバー（６）の第２長手端に位置された第２軸（２１）周りを前記第１ブレード（５）または前記カバー（６）に対して回転可能に取り付けられる、請求項１から６のいずれか一項に記載のバンド用の留め金。
【請求項８】
前記第１ブレード（５）に配置され、カバー軸（６１）周りを回転するカバー（６）を含み、前記作動レバー（２）は前記上面の可動パーツであり、カバー（６）のユーザから可視状態である、請求項１から７のいずれか一項に記載のバンド用の留め金。
【請求項９】
前記係止装置の前記係止要素（１）と前記中間要素（３）は、第１中間軸（３１）周りを相対回転するよう連結される、請求項１から８のいずれか一項に記載のバンド用の留め金。
【請求項１０】
前記第１中間軸（３１）と前記第２中間軸（３２）とは、前記中間要素（３）の２つの長手端にそれぞれ配置され、前記留め金の閉じた構成において、前記第１軸（１１）の両端に位置される、請求項２又は３を引用する請求項９に記載のバンド用の留め金。
【請求項１１】
前記第１中間軸（３１）、第２中間軸（３２）及び第１軸（１１）は互いに別個かつ平行であり、または第１中間軸（３１）、第２中間軸（３２）、第１軸（１１）及び第２軸（２１）は互いに別個かつ平行であり、または第１中間軸（３１）、第２中間軸（３２）、第１軸（１１）、第２軸（２１）及び前記ブレードの軸（５１）は互いに別個かつ平行である、請求項２又は３を引用する請求項９記載のバンド用の留め金。
【請求項１２】
前記作動レバー（２）は、それにより前記留め金をアンロックするよう操作されることが可能な、第１長手端に配置されたグリップ要素（２ａ）を含み、前記作動レバー（２）は前記作動レバー（２）の第２長手端に位置された第２軸（２１）周りを回転可能である、請求項１から１１のいずれか一項に記載のバンド用の留め金。
【請求項１３】
−２つの可動ブレード（４、５）を有する留め金、または
−３つの可動ブレード（４、５、５’）を有する留め金であって、前記中央ブレード（４）に可動性連結された２つのブレード（５）、（５’）と２つの係止装置（１０）、（１０’）を含み、第２係止装置（１０’）は、実質的に前記係止装置（１０）に対して対称に配置され、前記第２ブレード（４）に対して第３ブレード（５’）を連結し、前記２つの係止装置（１０）、（１０’）はそれぞれ前記第１及び第３ブレード（５）、（５’）を前記中央第２ブレード（４）に対してロックすることを可能とする、請求項１から１２のいずれか一項に記載のバンド用の留め金。
【請求項１４】
請求項１から１３のいずれか一項に記載の留め金を含む、バンド。
【請求項１５】
請求項１４に記載のバンドを少なくとも１つ含む、腕時計。
【発明の詳細な説明】
【技術分野】
【０００１】
本発明は、少なくとも１つの係止装置を含む、バンド用の留め金に関する。本発明はまた、当該留め金を含む、バンド及び腕時計に関する。
【背景技術】
【０００２】
小型時計バンドの２つの長さ部材をバンドの装着者の手首周りに留めるための複数の解決法がある。１つ目の解決法はシンプルであり、例えば、一方にある簡単なループと舌部を他方にある穴部と協働させる形状を有する協働手段を各長さ部材の端部に備えることからなる。当該解決法はしかしながら、協働手段が開かれたとき、バンドの２つの長さ部材は即座に離れてしまい、腕時計が落下するリスクにつながるという欠点を有する。
【０００３】
この欠点を軽減するため、別の解決法は、２つのバンド長さ部材の間に配置され、常にこれら２つの長さ部材の端部に固定される、留め金タイプの中間要素を備えることからなる。この留め金は２つの位置を占める：腕時計を装着することを可能とする全体長さを有するようバンドと留め金が手首の周囲に延びている、小型時計の装着のために提供される閉位置、及び留め金から取り外すことなくバンドの２つの長さ部材の２つの端部を分離することにより、バンドと留め金の長さを増加させることを可能とし、手を通過させて小型時計を外すことを可能とする開位置である。この留め金の開構成において、バンドの２つの長さ部材は分離されず、それにより小型時計が落下するリスクを減らすことができる。
【０００４】
留め金は一般的に２つまたは３つの折り畳み可能なブレードを含み、それらは少なくとも部分的に留め金の閉位置において互いに折り重ねられ、開位置において展開される。この閉位置が安定的に維持されることを保証するため、ロック及びアンロック機構が使用される。例えば、特許文献１にそのような係止解決法が開示される。
【先行技術文献】
【特許文献】
【０００５】
【特許文献１】欧州特許出願公開第１６５４９５０号明細書
【発明の概要】
【発明が解決しようとする課題】
【０００６】
しかしながら、バンド留め金のための別の係止解決法が必要とされている。従って、本発明は以下の全てまたは一部の目的を達成することを求める。
【０００７】
本発明の第１の目的は、信頼性があり強固であるバンド留め具のための係止解決法を提案することからなる。
【０００８】
本発明の第２の目的は、最小の容積を有する、バンド留め具のための係止解決法を提案することからなる。
【０００９】
本発明の第３の目的は、留め金の外観のための審美的な探求と両立可能なバンド留め金の係止解決法を提案することからなる。
【課題を解決するための手段】
【００１０】
このため、本発明は、ユーザによる係止装置の作動のために意図される作動レバーと、相補的フック要素と協働することが可能な係止要素を含むバンド留め金用の係止装置であって、一方で第１連結装置により係止要素に連結され、他方で第２連結装置により作動レバーに連結された、中間要素を含み、これら２つの連結装置のうち少なくとも１つの連結装置は少なくとも２つの自由度を有する、バンド留め金の係止装置に依拠する。
【００１１】
本発明は、各請求項によって詳細に定義される。
【００１２】
本発明の目的、特徴、及び利点は、添付の図面に関して非限定的態様で与えられる特定の実施形態についての、以下の説明において詳細に述べられる。
【図面の簡単な説明】
【００１３】
【図１】図１は、本発明の実施形態に係る、開いて部分的に展開された留め金の斜視図を示す。
【図２】図２は、本発明の実施形態に係る、開いた留め金の別の斜視図を示す。
【図３】図３は、本発明の実施形態に係る、閉じた構成にある留め金の上面図を示す。
【図４】図４は、本発明の実施形態に係る、閉位置にある留め金の正中垂直縦断面を通る断面の側面図を示す。
【図５】図５は、本発明の実施形態に係る、閉位置にある留め金の第２垂直縦断面を通る断面の側面図を示す。
【図６】図６は、本発明の実施形態に係る、閉じた構成の留め金の第３垂直縦断面を通る断面の側面図を示す。
【図７】図７は、本発明の実施形態に係る、開く段階にある正中垂直縦断面を通る断面の側面図を示す。
【図８】図８は、本発明の実施形態に係る、閉じる段階にある留め金の正中垂直縦断面を通る断面の側面図を示す。
【発明を実施するための形態】
【００１４】
説明を簡略化するため、慣習に基づく使用として、「長手方向」という語は、留め金のまたはバンドの長さにおける長さ方向を指し、「横断方向」は、留め金の面（より詳細には、留め金のブレードまたはカバーの面）の、特に留め金の閉じた構成における、直角方向を指す。垂直方向は、前記２つの方向に対して直角な方向であり、留め金の面（より詳細には、留め金のブレードまたはカバー）に対して直角に配置される。
【００１５】
加えて、本発明に係る留め金は、例えば留め金に対して対称的に配置された、実質的に同一の、１つまたは２つの係止装置を含むことができる。従って、同一の符号は、記号「’」を足すことによって第２の符号を第１の符号と区別することにより、第１の係止装置の部品と同一の、存在可能な第２の係止装置の部品を指すよう使用可能である。
【００１６】
本発明は、留め金のカバーに直接、さらには留め金のブレードに、特に留め金のカバーの可動パーツとして、配置された作動レバーを使用する係止機構を具備する留め金に依拠する。そのようなパーツは、例えばカバーの簡単なキャップとして表れてもよい。そのような解決法は、純粋に審美的な外観と最小の容積を達成することを可能とする。
【００１７】
図１および２は、本発明の一実施形態に係るバンドの留め金１００を示す。この留め金１００は、第１ブレード５と第３ブレード５’と呼ばれ、それぞれ横断ブレード軸５１、５１’を介して中央の第２ブレード４の２つの長手方向端部に対称に配置された、２つの横ブレード５、５’を有する、３つのブレードを含む。横ブレード５、５’はそれぞれ、図１及び２に示すような開位置、及び中央ブレード４の上に折り重ねられて留め金の閉位置を達成するため、後述する係止装置１０、１０’によってロックされた閉位置を占めることができる。
【００１８】
２つの横ブレード５、５’は実質的に同一であるため、第１横ブレード５の特徴のみをこの後詳述する。カバー６が当該第１横ブレード５上に固定される。当該カバー６は第１ブレード５の、中央第２ブレード４に連結された端とは反対側の一端に配置されたカバー軸６１周りを回転するよう取り付けられる。カバー６は逆Ｕ字型断面を有し、ユーザから可視状態の上面と、実質的に上面に対して直角であり、留め金全体とその機構、とりわけ係止装置、を隠し、実質的に覆い、解決法の審美的外観を保証するため、横からカバーすることを意図する２つの側壁と、を有する。カバー６はさらに、カバー軸６１と反対の端部に、バンド長さの一端のための固定装置を含む。この実施形態において、当該固定装置は、バンド端部リンクのための取付バーを受け入れるため、カバー６の側壁に配置された開口６２を含む。この開位置において、カバー６は留め金のブレード４、５に対して、留め金軸６１周りを回転することにより展開可能であり、留め金の長さを増加させることに貢献する。閉位置において、２つの横ブレード５、５’の２つのカバー６、６’は、互いに連続するように位置され、従って、図３に示すように、留め金の単一カバー６０の外観を形成する。
【００１９】
第１横ブレード５の係止装置１０を以下に説明する。係止装置１０は、第１に、第１軸１１周りを回転するよう取り付けられる係止要素１を含む。この係止要素１は、中央第２ブレード４の中央部に配置された相補的フック要素４ａと協働するよう設計された形状を底端に含む。本実施形態によると、この形状はフック式のものである。変形例として、係止要素１と相補的フック要素４ａとの間の機械的なロックを可能とするその他のあらゆる形状も可能である。
【００２０】
また、バンド留め金をロックするため、係止要素１を中央第２ブレード４のフック要素４ａと噛み合い可能な位置に配置されるよう向かわせる、係止要素１に働きかける１つ以上の戻しばね８ａ、８ｂが設けられる。当該実施形態において、図５及び６に示すように、２つのばね８ａ、８ｂが第１回転軸１１周りに配置され、長手正中面Ｉ−Ｉに関して対称に、図３に示す各面において、それぞれ断面ＩＩ−ＩＩ及びＩＩＩ−ＩＩＩ上に、配置される。
【００２１】
係止装置１０はさらに、カバー６に配置された作動レバー２を含む。より詳細には、この作動レバー２はカバー６の上面の一部として見える。作動レバー２はカバー６の全体長さにわたって延び、閉位置において留め金の中央に位置されるよう意図される端部とは反対側の、バンド端連結を受けるよう意図されたカバー６の長手端において、横第２軸２１周りに回転可能に連結される。
【００２２】
最後に、係止装置１０は、一方では第１連結装置によって係止要素１に連結され、他方では第２連結装置によって作動レバー２に連結された、中間要素３を含む。
【００２３】
当該実施形態によると、係止装置の係止要素１と中間要素３は、第１中間軸３１周りを相対回転するよう連結される。よって、第１連結装置は回転軸である。他方で、係止装置の作動レバー２と中間要素３は、作動レバー２に配置された溝２２を含む第２連結装置によって連結され、溝２２の中で、作動レバー２と中間要素３が互いにその周りを旋回可能なように作動レバー２と中間要素３を連結する第２中間軸３２が移動可能である。従って、このような第２連結装置は作動レバー２と中間要素３の間の２つの自由度を与えることを可能とする。当然、中間要素３に溝を配置し作動レバー２に軸を配置することにより、上述した構成を反対にすることも完全に可能である。
【００２４】
当該実施形態において、第１中間軸３１と第２中間軸３２は、中間要素３の２つの長手端にそれぞれ配置される。それらはまた、図４及び５からわかる通り、留め金の閉じた構成において、第１軸１１の両側に配置される。
【００２５】
当然、本発明は上述の実施形態に限定されない。本発明は、係止装置の２つの連結装置のうちの少なくとも１つが、その連結する２つの要素に対して２つの自由度を与えるよう設計された、その他のあらゆる解決法に及ぶ。この連結装置は、例えば、回転に第１自由度を与え、また溝内を案内される並進タイプの移動による第２自由度を与える。この溝は長手方向に延びることができる。変形例として、溝は、他の方向、例えば縦、に配置されてもよい。「溝」の概念は、用語の広い意味で考慮されるべきであり、必ずしも直線的でなく、その軌道は係止装置の様々な構成要素の運動学に適応可能であることは明白である。さらに、本実施形態によると、他方の連結装置は１つの自由度を与える。変形例として、他方の連結装置は、上述した少なくとも一方の連結装置と同様に、少なくとも２つの自由度を与えてもよい。
【００２６】
従って、上述した実施形態の変形例において、第１連結装置は２つの自由度を与え、第２連結装置は１つの自由度を与えることとなる。さらに、これらの自由度は、上述した回転や並進以外の動きに依拠することが可能である。
【００２７】
上述の実施形態において、第１軸１１、第１中間軸３１、第２中間軸３２、及び第２軸２１は、別個でかつ平行であるように見えることに留意されたい。これらの軸は全て横断方向に配置されている。
【００２８】
本実施形態に係る留め金はまた、特に図４から６に示される、カバー６に固着された、一方ではカバー軸６１に固定されカバーの２つの側壁を繋ぐ平行横軸７１にさらに固定される、要素７を含む。係止装置１０の係止要素１の回転第１軸１１は、カバー６に固着された当該要素７に回転可能に取り付けられる。この要素７はさらに、図３に特に見やすく示された、図５及び６の垂直縦断面ＩＩ−ＩＩ及びＩＩＩ−ＩＩＩ内で、第１軸１１周りの戻しばね８ａ、８ｂを受ける形状を有する凹部を含む。
【００２９】
本実施形態は、留め金カバーに対する部分的な係止装置の配置または連結に依拠する。変形例として、本発明は、カバーのない留め金に対して、またはそのカバーとブレードが１つの同じ要素内に組み合わされている留め金に対しても、実装可能である。そのような場合、作動レバー２は、カバーの代わりに移動可能なブレードに、例えばその移動可能なブレードの可動パーツとして、直接取り付けられることになる。別の変形例によると、作動レバー２はその他のどのような形状を取ってもよく、留め金カバーのいずれの部分であってもよい。有利には、閉位置において、作動レバー２は留め金カバーの残りと実質的に連続する表面を形成する。
【００３０】
本実施形態によると、ユーザによる作動レバー２の作動を容易にするため、グリップ要素２ａが作動レバー２に配置される。それはより詳細には、第２軸２１とは反対の、作動レバーの中央端に配置される。
【００３１】
説明された実施形態は３つのブレードを有する留め金に依拠する。前述した通り、横ブレード５、５’はそれぞれ、各係止装置１０、１０’によって、中央ブレード４に対してロック及びアンロック可能である。これら２つの係止装置１０、１０’は実質的に同一であり、図３及び４に示す通り、留め金の垂直横断正中面Ｐに対して対称に配置される。実施形態によると、横ブレード５、５’は、留め金の閉位置において互いにぴったり重なるような相補的形状を有するグリップ要素２ａ、２ａ’によって異なり、それらの形状は従って、審美的及び人間工学的な理由によって選択される。特に、留め金１００の横ブレード５、５’それぞれを開く及び閉じる順序、とりわけ各係止装置１０、１０’の作動順序、が強制されないように、グリップ要素２ａ、２ａ’は形作られる。もちろん、グリップ要素２ａ、２ａ’が同一であるため、その形状を把握することが可能である。
【００３２】
当該実施形態において、留め金の上述した異なる軸１１、１１’、２１、２１’、３１、３１’、３２、３２’、５１、５１’、６１、６１’、７１、７１’は全て平行であり、横断方向に向いているように見える。当該明細書全文において、「軸」の概念は、幾何学的軸の概念と物理的軸の概念との両方に等しく関する。例えば、当該実施形態において、第１軸１１は係止要素１の回転軸であり、係止要素１に固着されてもされなくてもよい。同じことが当該実施形態の他の軸についても、特に第２軸２１及び２つの中間軸３１及び３２についても言える。
【００３３】
変形例として、これらすべてのまたは一部の軸が他の方向に向いているほかの実施形態を想像することができる。とりわけ、第１軸１１及び２つの中間軸３１、３２は、第２軸２１に対して直角であってよい。他の変形例として、これらすべての軸は平行であるものの、異なる配置であってよい。
【００３４】
さらに、上述した実施形態において、係止装置の各軸は旋回軸であってもよい。あるいは、これらの軸のうち少なくとも１つは、並進軌道を定義する軸であってよい。例えば、作動レバー２は、とりわけカバー６の長手方向に実質的に対応する方向に向けて、カバー６に対して並進移動可能な部品の形状を取ってよい。
【００３５】
さらに、留め金は、変形例として、２つの展開ブレードのみを有する留め金であって、前述の通り、２つのブレードの間に係止装置を含むものであってよい。この場合、上述したカバー６は、留め金のカバー６０全体に対応してもよい。
【００３６】
本発明はまた、前述した係止装置または前述した留め金を含むバンドに関する。本発明はまた、そのようなバンドを含む腕時計に関する。
【００３７】
本実施形態に係る留め金の操作について、図７及び８を参照して以下に説明する。
【００３８】
図７は、係止装置１０が留め金１００を開くよう作動された、より詳細には中央第２ブレード４に対して第１ブレード５を開くよう作動された状態を示す、平面Ｉ−Ｉにおける留め金の断面図である。そのため、ユーザはグリップ要素２ａを作動させて、作動レバー２の第２軸２１周りの、時計回り方向への回転を開始させる。作動レバー２のこの作動により、係止要素１は、ばね８ａ、８ｂに対抗して、第１軸１１周りに、同じ時計回り方向へ回転される。この回転は中間要素３によって可能となり、回転運動が伝達されることにより係止要素１は中央第２ブレード４のフック要素４ａから引っ込むことを可能とされる。なお、この開く段階において、第２中間軸３２は溝２２の第１長手端、留め金の中央側に位置される。
【００３９】
図８は、留め金の同じ平面Ｉ−Ｉ上の断面図であって、第１ブレード５を中央第２ブレード４に閉じる逆の段階を示す。作動レバー２は第２軸２１周りを時計回りの方向に旋回され、それにより係止要素１は第２ブレード４のフック要素４ａと噛み合う。この第２段階において、作動レバー２に対する中間要素３の２つの自由度は特に有利である。なぜならば、それらは相補的フック要素４ａに対する係止要素１の移動を可能とし、係止要素１がフック要素４ａの下に配置可能なよう係止要素１がフック要素４ａの端部に交差し、図４に示す最終閉位置に達することを可能とする。とりわけ、第２中間軸３２の溝２２内における、作動レバー２の長手方向に平行なもしくは実質的に平行な方向への移動は、前述した係止要素１の正しい配置に好都合である。この閉鎖段階において、第２中間軸３２はまず、溝２２の留め金の端部側である第２長手端に配置され、その後、反対の第１長手端に移動される。言い換えれば、中間要素の配置は、作動レバー２が第２軸２１周りを反時計回りに旋回する間、係止要素１の時計回り旋回による一次的な作動を可能とし、係止要素１がフック要素４ａの端部に交差し、当該フック要素の下の位置を取ることを可能とする。中間要素３はそれにより究極的に、係止要素１に対して、作動レバー２の全ての作動において正しい配置を保証するのに十分な一定の自主性を、作動レバー２に関して与える。中間要素３のおかげで、作動レバー２はとりわけ、留め金の閉鎖段階の際に固定される。
【符号の説明】
【００４０】
１    係止要素
２    作動レバー
２ａ  グリップ要素
３    中間要素
４    第２ブレード
４ａ  相補的フック要素
５    第１ブレード
６    カバー
８ａ、８ｂ    戻しばね
１０    係止装置
１１    第１軸
２１    第２軸
２２    溝
３１    第１中間軸
３２    第２中間軸
５１    ブレード軸
６１    カバー軸
【図１】
2022002691.tif 000003
【図２】
2022002691.tif 000004
【図３】
2022002691.tif 000005
【図４】
2022002691.tif 000006
【図５】
2022002691.tif 000007
【図６】
2022002691.tif 000008
【図７】
2022002691.tif 000009
【図８】
2022002691.tif 000010
【外国語明細書】
2022002691000001.pdf
2022002691000002.pdf
2022002691000003.pdf
2022002691000004.pdf